(57)【要約】ＬＥＤチップの放熱効率を格段に向上させてその高寿命化を達成することができ、加えて軽量化も達成することができる蛍光灯型ＬＥＤ照明灯を提供することを目的とする。  蛍光灯型ＬＥＤ照明灯は、両端部の口金２の端子が既存の蛍光灯ソケットに接続された状態において、その点灯スイッチがオンされると、パッケージ基板５の長手方向に沿って配列された複数のＬＥＤパッケージ７の各ＬＥＤチップ７Ｃが点灯し、その点灯光が透光カバー３を通して照射される。その際、複数のＬＥＤパッケージ７の各ＬＥＤチップ７Ｃが点灯により発熱すると、その発熱は、各ＬＥＤチップ７Ｃに接触する各電極層７Ｆからこれが圧接する溝型放熱部材４の突出頂面４Ｂに直接伝熱され、溝型放熱部材４により効率よく放熱される。
2011021719.tif 000002
【特許請求の範囲】
【請求項１】
既存の蛍光灯ソケットに接続可能な端子を有する口金を備えた直管形または円環形の蛍光灯型ＬＥＤ照明灯であって、
前記口金が装着される管状を呈し、その周面一部に切割り状開口部を有する透光カバーと、
前記透光カバーの切割り状開口部に装着される放熱カバー部材と、
ＬＥＤチップを有する複数のＬＥＤパッケージが長手方向に沿って配列される長板状または円環板状を呈し、前記放熱カバー部材の内面に前記複数のＬＥＤパッケージが接触する状態で放熱カバー部材に固定されるパッケージ基板とを備えていることを特徴とする蛍光灯型ＬＥＤ照明灯。
【請求項２】
前記複数のＬＥＤパッケージは、前記ＬＥＤチップの投光方向と反対側の基端面から突出する状態でＬＥＤチップに接触する電極層をそれぞれ有し、各電極層が前記放熱カバー部材の内面に接触する状態で各ＬＥＤパッケージが前記パッケージ基板に形成された複数の装着穴にそれぞれ嵌め込んで装着されていることを特徴とする請求項１に記載の蛍光灯型ＬＥＤ照明灯。
【請求項３】
前記放熱カバー部材は、前記透光カバーの切割り状開口部から突入する溝型に形成されていることを特徴とする請求項１または２に記載の蛍光灯型ＬＥＤ照明灯。
【請求項４】
前記ＬＥＤパッケージと共に前記パッケージ基板を前記放熱カバー部材の内面側に押圧する締結手段を備え、この締結手段を介してパッケージ基板が放熱カバー部材に固定されていることを特徴とする請求項１〜３の何れか１項に記載の蛍光灯型ＬＥＤ照明灯。
【請求項５】
前記放熱カバー部材の内面には、前記各ＬＥＤパッケージに弾性接触するばね片が形成されていることを特徴とする請求項１〜４の何れか１項に記載の蛍光灯型ＬＥＤ照明灯。
【請求項６】
前記口金の端子およびパッケージ基板に接続される電源ユニットが溝型に形成された前記放熱カバー部材の溝部内に配置されていることを特徴とする請求項３〜５の何れか１項に記載の蛍光灯型ＬＥＤ照明灯。
【請求項７】
前記透光カバーの切割り状開口部から突入する溝型に形成された前記放熱カバー部材の左右の外側面には、突入端部側の幅が基端部側の幅より漸次狭くなるように傾斜する反射面が形成されていることを特徴とする請求項３〜６の何れか１項に記載の蛍光灯型ＬＥＤ照明灯。
【請求項８】
前記透光カバーの断面中央部から切割り状開口部側に寄った位置に前記ＬＥＤパッケージが配置されていることを特徴とする請求項１〜７の何れか１項に記載の蛍光灯型ＬＥＤ照明灯。
【発明の詳細な説明】
【技術分野】
【０００１】
本発明は、ＬＥＤ（発光ダイオード）チップを光源とするＬＥＤ照明灯に関し、詳しくは、蛍光灯型のＬＥＤ照明灯に関するものである。
【背景技術】
【０００２】
ＬＥＤチップを光源とするＬＥＤ照明灯として、既存の蛍光灯ソケットに対応した端子を有する口金が両端部に設けられている蛍光灯型のＬＥＤ照明灯が従来一般に知られている（例えば特許文献１参照）。また、この種の蛍光灯型ＬＥＤ照明灯として、図１２に示すような断面構造を有するものも従来一般に知られている。
ここで、特許文献１には、透明な円筒パイプ（２）と、このパイプ（２）の内側に設けた支持板（３）と、この支持板（３）の両端に設けられ、蛍光灯器具（１１）のソケット部（１４）に嵌合する端子（４）と、この端子（４）に接続し、支持板（３）の上面に設けられたＡＣ／ＤＣ変換器（７）と、これに接続され、支持板（３）の底面に設けられた複数のＬＥＤ（９）にそれぞれ供給する電圧を調整する電圧制御部（８）とを備えた蛍光灯型ＬＥＤ照明装置が提案されている。
一方、図１２に示す従来の蛍光灯型ＬＥＤ照明灯は、ＬＥＤチップＡを有するＬＥＤパッケージＢと、このＬＥＤパッケージＢを一方の面に実装したパッケージ基板Ｃと、このパッケージ基板Ｃの他方の面に重ねられた放熱板Ｄと、この放熱板Ｄの両側縁部を挟み込んだ状態で放熱板Ｄ側を覆う半円状断面の放熱カバーＥと、ＬＥＤパッケージＢ側を覆う半円状断面に形成され、その両側縁部が放熱カバーＥの両側縁部に接続された透光カバーＦとを備えている。
【特許文献１】特開２００１−３５１４０２号公報
【発明の概要】
【発明が解決しようとする課題】
【０００３】
ところで、特許文献１に記載された蛍光灯型ＬＥＤ照明装置は、複数のＬＥＤ（９）の点灯による発熱を放熱するための手段を備えていないため、各ＬＥＤ（９）が点灯により高温化してその寿命が低下する恐れが大きい。
一方、図１２に示した従来の蛍光灯型ＬＥＤ照明灯は、ＬＥＤチップＡの点灯による発熱を放熱するための放熱板Ｄおよび放熱カバーＥを備えているものの、ＬＥＤチップＡを有するＬＥＤパッケージＢはパッケージ基板Ｃの一方の面に実装され、放熱板Ｄはパッケージ基板Ｃの他方の面に重ねられている。このため、ＬＥＤチップＡから放熱板Ｄへの放熱は、ＬＥＤパッケージＢおよびパッケージ基板Ｃを介して行われることとなり、その放熱効率は、例えば２５％程度の低い効率となってしまう。
加えて、図１２に示した従来の蛍光灯型ＬＥＤ照明灯は、放熱板Ｄが蛍光灯型ＬＥＤ照明灯の直径方向に横切る幅広のものであり、放熱カバーＥが放熱板Ｄを覆う半円弧状断面の大型のものであるため、重量が嵩むという問題がある。
本発明は、このような従来技術の問題点に対応してなされたものであり、ＬＥＤチップの放熱効率を格段に向上させてその高寿命化を達成することができ、加えて軽量化も達成することができる蛍光灯型ＬＥＤ照明灯を提供することを課題とする。
【課題を解決するための手段】
【０００４】
このような課題を解決するため、本発明に係る蛍光灯型ＬＥＤ照明灯は、既存の蛍光灯ソケットに接続可能な端子を有する口金を備えた直管形または円環形の蛍光灯型ＬＥＤ照明灯であって、口金が装着される管状を呈し、その周面一部に切割り状開口部を有する透光カバーと、この透光カバーの切割り状開口部に装着される放熱カバー部材と、ＬＥＤチップを有する複数のＬＥＤパッケージが長手方向に沿って配列される長板状または円環板状を呈し、放熱カバー部材の内面に複数のＬＥＤパッケージが接触する状態で放熱カバー部材に固定されるパッケージ基板とを備えていることを特徴とする。
本発明に係る蛍光灯型ＬＥＤ照明灯では、口金の端子が既存の蛍光灯ソケットに接続された状態において、その点灯スイッチがオンされることにより、パッケージ基板の長手方向に沿って配列された複数のＬＥＤパッケージの各ＬＥＤチップが点灯し、その点灯光が透光カバーを通して照射される。
ここで、複数のＬＥＤパッケージの各ＬＥＤチップが点灯により発熱すると、その発熱は、各ＬＥＤパッケージから放熱カバー部材に直接伝熱されて効率よく放熱される。
本発明の蛍光灯型ＬＥＤ照明灯において、複数のＬＥＤパッケージは、ＬＥＤチップの投光方向と反対側の基端面から突出する状態でＬＥＤチップに接触する電極層をそれぞれ有するものとし、各電極層が放熱カバー部材の内面に接触する状態で各ＬＥＤパッケージがパッケージ基板に形成された複数の装着穴にそれぞれ嵌め込んで装着される構成とすることができる。
また、本発明の蛍光灯型ＬＥＤ照明灯において、放熱カバー部材は、透光カバーの切割り状開口部から突入する溝型に形成することができる。この場合、口金の端子およびパッケージ基板に接続される電源ユニットを放熱カバー部材の溝部内に配置することができる。また、このような溝型の放熱カバー部材においては、突入端部側の幅が基端部側の幅より漸次狭くなるように傾斜する反射面を左右の外側面に形成することができる。
本発明の蛍光灯型ＬＥＤ照明灯において、ＬＥＤパッケージと共にパッケージ基板を放熱カバー部材の内面側に押圧する締結手段を備え、この締結手段を介してパッケージ基板が放熱カバー部材に固定されていると、各ＬＥＤパッケージが放熱カバー部材の内面に押圧されて圧接し、各ＬＥＤパッケージから放熱カバー部材への伝熱が確実となると共に、伝熱効率が向上するので好ましい。
また、本発明の蛍光灯型ＬＥＤ照明灯において、各ＬＥＤパッケージに弾性接触するばね片が放熱カバー部材の内面に形成されていると、各ＬＥＤパッケージから放熱カバー部材への伝熱が確実となると共に、伝熱効率が一層向上するので好ましい。
また、本発明の蛍光灯型ＬＥＤ照明灯において、透光カバーの断面中央部から切割り状開口部側に寄った位置にＬＥＤパッケージが配置されていると、透光カバーを透過するＬＥＤチップの点灯光の照射領域が拡がるので好ましい。
【発明の効果】
【０００５】
本発明に係る蛍光灯型ＬＥＤ照明灯では、複数のＬＥＤパッケージの各ＬＥＤチップが点灯により発熱すると、その発熱は、各ＬＥＤチップに接触する各電極層からこれに突出頂面が接触する放熱カバー部材に直接かつ確実に伝熱されて効率よく放熱される。従って、本発明によれば、各ＬＥＤチップの放熱効率を格段に向上させてその高寿命化を達成することができる。
また、放熱カバー部材は、透光カバーの切割り状開口部に装着されて透光カバーの内側に突出するものであり、従来の蛍光灯型ＬＥＤ照明灯（図１２参照）の放熱板Ｄおよび放熱カバーＥに較べて小型であるため、本発明によれば、軽量化を達成することができる。
【図面の簡単な説明】
【０００６】
図１は本発明の第１実施形態に係る蛍光灯型ＬＥＤ照明灯の斜視図である。
図２は図１に示した蛍光灯型ＬＥＤ照明灯の模式的な縦断面図である。
図３は図２のＩＩＩ−ＩＩＩ線に沿う縦断面図である。
図４は第１実施形態の第１変形例を模式的に示す図２に対応した縦断面図である。
図５は第１実施形態の第２変形例を模式的に示す図２に対応した縦断面図である。
図６は第１実施形態の第３変形例を模式的に示す図２に対応した縦断面図である。
図７は第１実施形態の第４変形例を模式的に示す図２に対応した縦断面図である。
図８は本発明の第２実施形態に係る蛍光灯型ＬＥＤ照明灯の要部構造を模式的に示す図２に対応した縦断面図である。
図９は第２実施形態の第１変形例を模式的に示す図８に対応した縦断面図である。
図１０は第２実施形態の第２変形例を模式的に示す図８に対応した縦断面図である。
図１１は本発明の第３実施形態に係る蛍光灯型ＬＥＤ照明灯の平面図である。
図１２は一従来例を示す図２に対応した模式的な縦断面図である。
【符号の説明】
【０００７】
１    …端子
２    …口金
３    …透光カバー
３Ａ  …係合凸部
４    …放熱カバー部材
４Ａ  …係合凹部
４Ｂ  …突出頂面
４Ｃ  …反射面
４Ｄ  …締結片
４Ｅ  …ばね片
５    …パッケージ基板
５Ａ  …装着穴
５Ｂ  …傾斜壁面
６    …止ねじ
７    …ＬＥＤパッケージ
７Ａ  …キャビティ基体
７Ｂ  …リフレクタ凹部
７Ｃ  …ＬＥＤチップ
７Ｄ  …封入樹脂
７Ｅ  …傾斜側面
７Ｆ  …電極層
７Ｇ  …ストレート側面
７Ｈ  …ツバ部
８    …電源ユニット
９    …クリップ
１３  …透光カバー
１３Ａ…レンチキュラーレンズ
１３Ｂ…切割り状開口縁部
１４  …放熱カバー部材
１４Ａ…挟持部
１４Ｂ…底部
１４Ｃ…側壁部
１４Ｄ…仕切壁
１４Ｅ…放熱フィン
１５  …パッケージ基板
１７  …ＬＥＤパッケージ
２１  …端子
２２  …口金
２３  …透光カバー
２４  …放熱カバー部材
【発明を実施するための形態】
【０００８】
以下、添付の図面を参照して本発明に係る蛍光灯型ＬＥＤ照明灯の実施の形態を説明する。図１に示すように、第１実施形態の蛍光灯型ＬＥＤ照明灯は、６００〜２４００ｍｍの範囲の規格の長さを有する直管形の蛍光灯型ＬＥＤ照明灯であって、その両端部には、図示しない既存の蛍光灯ソケットに接続可能な２本の端子１，１を有する口金２，２がそれぞれ設けられている。
口金２，２は、周面一部に切割り状開口部を有する直管状の透光カバー３の両端部に装着されており、この透光カバー３の切割り状開口部には、透光カバー３の長手方向に沿って延びる溝型の放熱カバー部材４が装着されている。
透光カバー３は、例えばポリカーボネート（ＰＣ）やアクリル樹脂などの透明樹脂に適宜の光拡散剤を混入して成形されており、いわゆるすりガラス状の外観を呈する。なお、透光カバー３は、光拡散剤が混入されていない透明な外観を呈するものや、乳白色などの半透明の外観を呈するものであってもよい。
この透光カバー３は、直径が例えば３２ｍｍ、肉厚が例えば０．８〜１．０ｍｍ程度に成形されている。そして、この透光カバー３の切割り状開口部には、図２に示すように、溝型の放熱カバー部材４を装着するための山形断面の係合凸部３Ａ，３Ａが相互に対向して形成されている。
溝型の放熱カバー部材４は、例えば板厚が０．８〜１．０ｍｍのアルミニウム板を図２に示す溝型の断面形状にプレス成形したものであり、溝部の開口幅は８〜１２ｍｍ程度、深さは８ｍｍ程度に設定されていて、極めて軽量化されている。この放熱カバー部材４の開口側の端部には、透光カバー３の係合凸部３Ａ，３Ａに着脱自在に係合する係合凹部４Ａ，４Ａが折曲げ加工により形成されている。
溝型の放熱カバー部材４は、その係合凹部４Ａ，４Ａが透光カバー３の係合凸部３Ａ，３Ａに係合することで透光カバー３の切割り状開口部に着脱自在に装着されており、この装着状態で放熱カバー部材４は透光カバー３の切割り状開口部から突入している。そして、透光カバー３の内側に突出する放熱カバー部材の４の内面、すなわち平坦な突出頂面４Ｂには、図３に示すように、放熱カバー部材４の長手方向に沿って延びる長板状のパッケージ基板５が締結手段としての複数の止ねじ６により固定されている。
パッケージ基板５には、複数の装着穴５Ａが長手方向に沿って所定間隔で形成されており、各装着穴５ＡにはＬＥＤパッケージ７がそれぞれ嵌め込まれている。パッケージ基板５の装着穴５Ａの壁面のうち、図２に示す横断面に表れる左右の壁面は、放熱カバー部材４側の相互間隔が広く、反対側の相互間隔が狭くなるように左右対称に傾斜する傾斜壁面５Ｂ，５Ｂとされている。
ＬＥＤパッケージ７は、ポリカーボネート（ＰＣ）やセラミックスからなる薄型ボックス状のキャビティ基体７Ａに形成されたリフレクタ凹部７Ｂの底部にＬＥＤチップ７Ｃが配置され、このＬＥＤチップ７Ｃがリフレクタ凹部７Ｂに充填された封入樹脂７Ｄにより封入された構造を有する。ＬＥＤチップ７Ｃは、例えばＬＥＤパッケージ７に白色光を発光させるために青色光を発光するものである。封入樹脂７Ｄは、エポキシ樹脂やシリコン樹脂からなり、この封入樹脂７Ｄには、ＬＥＤチップ７Ｃの青色光によりその補色の黄色光を発光する蛍光体が分散されている。
このようなＬＥＤパッケージ７は、図２の下方に向かうＬＥＤチップ７Ｃの投光方向とは反対側の基端面を放熱カバー部材４の内面である突出頂面４Ｂに対面させて配置されている。このＬＥＤパッケージ７が配置される位置は、透光カバー３の断面中央部から切割り状開口部側に寄った位置となっている。
ＬＥＤパッケージ７のキャビティ基体７Ａの外側面のうち、図２に示す横断面に表れる左右の外側面は、パッケージ基板５の左右の傾斜壁面５Ｂ，５Ｂと同じ角度で傾斜する傾斜側面７Ｅ，７Ｅとされている。そして、ＬＥＤパッケージ７の基端面側である傾斜側面７Ｅ，７Ｅの基端部がパッケージ基板５の傾斜壁面５Ｂ，５Ｂに斜面係合し、この状態でパッケージ基板５が締結手段としての複数の止ねじ６により放熱カバー部材４の突出頂面４Ｂに固定されることで、ＬＥＤパッケージ７の基端面側が放熱カバー部材４の突出頂面４Ｂ側に押圧されている。
ここで、ＬＥＤパッケージ７の基端面側となるリフレクタ凹部７Ｂの底部には、ＬＥＤチップ７Ｃをパッケージ基板５に接続する回路の一部を構成する電極層７Ｆが露出状態で形成されている。この電極層７Ｆは、厚さが０．０２５ｍｍ程度であって、ＬＥＤパッケージ７の基端面から０．０１５〜０．０２０ｍｍ程度突出しており、ＬＥＤチップ７Ｃに接触すると共に、放熱カバー部材４の突出頂面４Ｂに押圧されて圧接している。
また、図２に示すように、溝型の放熱カバー部材４の溝部内には、パッケージ基板５および図１に示した口金２，２の各端子１，１に接続される電源ユニット８が配設されている。なお、図示省略したが、各ＬＥＤパッケージ７のリフレクタ凹部７Ｂの周壁面には、ＬＥＤチップ７Ｃの投光を反射するリフレクタ用のメッキ層が形成されている。このメッキ層は、例えば、銅（Ｃｕ），ニッケル（Ｎｉ），銀（Ａｇ）のメッキ層を順次積層したものである。
以上のように構成された第１実施形態に係る蛍光灯型ＬＥＤ照明灯では、両端部の口金２，２の端子１，１が既存の蛍光灯ソケットに接続された状態において、図示しない点灯スイッチがオンされると、図３に示すようにパッケージ基板５の長手方向に沿って配列された複数のＬＥＤパッケージ７の各ＬＥＤチップ７Ｃが点灯し、その白色光の点灯光が透光カバー３を通して照射される。
ここで、各ＬＥＤパッケージ７は、透光カバー３の断面中央部から切割り状開口部側に寄った位置に配置されているため、各ＬＥＤチップ７Ｃの点灯光は、透光カバー３の下半部の広い領域から照射される。
その際、複数のＬＥＤパッケージ７の各ＬＥＤチップ７Ｃは、その点灯により発熱するが、その発熱は、各ＬＥＤチップ７Ｃに接触する各電極層７Ｆからこれが圧接する放熱カバー部材４の突出頂面４Ｂに直接かつ確実に伝熱され、放熱カバー部材４により効率よく放熱される。その放熱効率は、図１３に示した断面構造を有する従来の蛍光灯型ＬＥＤ照明灯では２５％程度であるのに対し、９０％程度に達する。その結果、各ＬＥＤチップ７Ｃの温度は、６０℃程度に保持することが可能となる。
また、図１２に示した断面構造の従来の蛍光灯型ＬＥＤ照明灯では、ＬＥＤチップＡの放熱効率が２５％程度であるため、大型で重量の嵩む放熱板Ｄおよび放熱カバーＥを必要とするのに対し、第１実施形態のＬＥＤ照明灯では、ＬＥＤチップ７Ｃの放熱効率が９０％程度に達するため、小型で軽量な放熱カバー部材４により十分に放熱することができる。
従って、第１実施形態の蛍光灯型ＬＥＤ照明灯によれば、複数のＬＥＤパッケージ７の各ＬＥＤチップ７Ｃの放熱効率を格段に向上させてその高寿命化を達成することができると共に、軽量化も達成することができる。
本発明の蛍光灯型ＬＥＤ照明灯は、前述した第１実施形態に限定されるものではない。例えば、放熱カバー部材４は、ステンレス板のプレス成形品としてもよいし、アルミニウム合金や銅の３押出し成形品としてもよい。また、白色光を発光する各ＬＥＤパッケージ７は、赤色（Ｒ）、緑色（Ｇ）、青色（Ｂ）の３原色の光を発光する３個のＬＥＤチップを内蔵した構成としてもよい。
また、図２に示した放熱カバー部材４の縦断面形状は、図４に示す縦断面形状に変更することができる。この放熱カバー部材４は、突出頂面４Ｂの両側の左右の側面に、突出頂面４Ｂ側の幅が漸次狭くなるように傾斜する反射面４Ｃ，４Ｃが形成されたものである。この場合、透光カバー３の内面で反射したＬＥＤチップ７Ｃからの投光の一部が反射面４Ｃ，４Ｃにより反射されて透光カバー３の左右の両側から斜め下方に照射されるため、ＬＥＤ照明灯の光量が増大する。
さらに、図２に示した放熱カバー部材４は、図５に示す縦断面形状を有するアルミニウムや銅の押出し成形品に変更することができる。この放熱カバー部材４は、パッケージ基板５に対面する締結片４Ｄ，４Ｄが突出頂面４Ｂの両側の左右の側面から突出して形成されたものである。この締結片４Ｄ，４Ｄには、締結手段としてのＵ字状断面のクリップ９，９を介してパッケージ基板５の左右の両縁部が締結されており、この締結状態で各ＬＥＤパッケージ７の各電極層７Ｆが放熱カバー部材４の突出頂面４Ｂに圧接している。
また、図２に示したパッケージ基板５およびＬＥＤパッケージ７のキャビティ基体７Ａの縦断面形状は、図６に示す縦断面形状に変更することができる。ここで、パッケージ基板５の左右の傾斜壁面５Ｂ，５Ｂは、ストレート壁面５Ｃ，５Ｃに変更され、キャビティ基体７Ａの左右の傾斜側面７Ｅ，７Ｅは、パッケージ基板５のストレート壁面５Ｃ，５Ｃに対面するストレート側面７Ｇ，７Ｇに変更されている。そして、ＬＥＤパッケージ７の基端面と反対側のキャビティ基体７Ａの先端部にはツバ部７Ｈ，７Ｈが形成されており、このツバ部７Ｈ，７Ｈがパッケージ基板５にハンダ付け固定されている。
さらに、図２に示した放熱カバー部材４の縦断面形状は、図７に示す縦断面形状に変更することができる。この放熱カバー部材４は、各ＬＥＤパッケージ７の各電極層７Ｆに弾性接触するばね片４Ｅが突出頂面４Ｂに形成されたものである。この場合、各電極層７Ｆから溝型放熱部材４への伝熱効率が一層向上する。
なお、図７に示したばね片４Ｅは、放熱カバー部材４の幅方向片側から突出するように切り起こされて放熱カバー部材４の長手方向に延びる単一の舌片状に形成されているが、各電極層７Ｆに対応して放熱カバー部材４の長手方向に突出するように切り起こされた複数の舌片状に形成されていてもよいし、各電極層７Ｆ側に突出するように切り起こされた複数の渦巻き片状に形成されていてもよい。
ここで、図２、図４、図５、図６、図７に示した各ＬＥＤパッケージ７の各電極層７Ｆの表面には、例えばエポキシ樹脂からなる０．２０ｍｍ程度の薄い接着シート（図示省略）を貼付し、この接着シートを介して各電極層７Ｆを放熱カバー部材４の突出頂面４Ｂに密着状態で圧接させてもよい。この場合、熱抵抗値の小さい０．２０ｍｍ程度の薄い接着シートが各電極層７Ｆを放熱カバー部材４の突出頂面４Ｂに密着させるため、各ＬＥＤパッケージ７の放熱効率が一層高くなる。
同様の理由から、図２、図４、図５、図６、図７に示した各ＬＥＤパッケージ７の各電極層７Ｆは、均一で薄いエポキシ樹脂などの接着剤層を介して放熱カバー部材４の突出頂面４Ｂに接着してもよい。
次に、本発明の第２実施形態に係る蛍光灯型ＬＥＤ照明灯を説明する。第２実施形態の蛍光灯型ＬＥＤ照明灯は、図２に示した第１実施形態の蛍光灯型ＬＥＤ照明灯における透光カバー３、放熱カバー部材４、パッケージ基板５およびＬＥＤパッケージ７に対応する部品として、図８に示すような透光カバー１３、放熱カバー部材１４、パッケージ基板１５およびＬＥＤパッケージ１７を備えている。
図８に示すように、透光カバー１３の内面には、その周方向にＬＥＤパッケージ１７の点灯光を拡散させるレンチキュラーレンズ１３Ａが形成されている。また、放熱カバー部材１４は、アルミニウム合金の押出成型により溝型の断面形状に成形されており、その開口側の端部には、透光カバー１３の切割り状開口縁部１３Ｂ，１３Ｂを着脱自在に挟み込む挟持部１４Ａ，１４Ａが形成されている。ここで、ＬＥＤパッケージ１７は、ＬＥＤチップ１７Ｃがワイヤ１７Ｇ，１７Ｇを介して接続される厚さ０．１５〜０．２０ｍｍ程度のリードフレーム７Ｆ，１７Ｆを電極として備えた一般的な構造とされている。そして、このＬＥＤパッケージ１７は、パッケージ基板１５を介して放熱カバー部材１４の底部１４Ｂに固定されることで、放熱カバー部材１４の底部１４Ｂの内面に接触している。
第２実施形態の蛍光灯型ＬＥＤ照明灯においては、第１実施形態の蛍光灯型ＬＥＤ照明灯と同様の作用効果が得られる他、透光カバー１３のレンチキュラーレンズ１３Ａにより、各ＬＥＤパッケージ１７の各ＬＥＤチップ１７Ｃの点灯光を透光カバー１３の周方向に拡散させて広範囲に照射させることができる。
ここで、第２実施形態の蛍光灯型ＬＥＤ照明灯における図８に示した放熱カバー部材１４の縦断面形状は、図９に示す縦断面形状に変更することができる。この放熱カバー部材１４は、底部１４Ｂの両側に挟持部１４Ａ，１４Ａが連続し、挟持部１４Ａ，１４Ａから左右の側壁部１４Ｃ，１４Ｃが立ち上がる浅い溝型に成形されており、底部１４Ｂの内面には各ＬＥＤパッケージ１７が設置され、底部１４Ｂの外面には、左右の側壁部１４Ｃ，１４Ｃと略同じ高さの仕切壁１４Ｄ，１４Ｄが一体に成形されている。
図９に示した第２実施形態の変形例においては、放熱カバー部材１４の底部１４Ｂの内面に設置された各ＬＥＤパッケージ７が透光カバー１３の切割り状開口部付近に位置するため、各ＬＥＤチップ１７Ｃの点灯光の照射範囲は、透光カバー１３の周方向おいて、図９にαで示す範囲まで拡大する。
また、第２実施形態の蛍光灯型ＬＥＤ照明灯における図８に示した放熱カバー部材１４の縦断面形状は、図１０に示す縦断面形状に変更することができる。この放熱カバー部材１４は、透光カバー１３の切割り状開口部より径方向外方に底部１４Ｂが位置する逆溝型に成形されており、その底部１４Ｂの内面には各ＬＥＤパッケージ１７が設置され、底部１４Ｂの外面には、複数条の放熱フィン１４Ｅ，１４Ｅが一体に成形されている。
図１０に示した第２実施形態の変形例においては、放熱カバー部材１４の底部１４Ｂの内面に設置された各ＬＥＤパッケージ７が透光カバー１３の切割り状開口部より径方向外方に位置するため、各ＬＥＤチップ１７Ｃの点灯光の照射範囲は、透光カバー１３の周方向おいて、図１０にβで示す範囲まで大きく拡大する。
なお、図９および図１０に示した第２実施形態の変形例において、透光カバー１３内面に形成されたレンチキュラーレンズ１３Ａは必須のものではなく、省略されていてもよい。
また、第２実施形態の蛍光灯型ＬＥＤ照明灯において、ＬＥＤパッケージの厚さは何ら制限されるものではないが、当該厚みが薄い態様について以下に説明する。
たとえば、図８〜１０において、ＬＥＤパッケージの厚さを相対的に薄くさせることによって、ＬＥＤチップ上面（投光面）の中央点から透光カバー内壁に対して鉛直方向に直線を引いたときの当該鉛直線の長さ（δ）を相対的に長くすることが可能となる。そうすることにより、透光カバーに含まれる光拡散剤の添加量を相対的に低減させることができ、その結果ＬＥＤパッケージを粒として視認されにくくすることができ、明るく全体が均一に白い所望の光とすることができる。
これに対して、ＬＥＤパッケージと透光カバーの距離が短い蛍光灯型ＬＥＤ照明灯では、光拡散剤を多く入れないと、乱反射が不十分で、均一な光とすることができないばかりか、光拡散剤を多くすることにより光が透過しにくいという不具合を生ずるおそれがある。
また、第２実施形態の蛍光灯型ＬＥＤ照明灯の一例として、ＬＥＤチップ底面から溝型放熱部材４の突出頂面４Ｂまでの距離が短く、たとえば０．３ｍｍ以下であること、および／または、上記δが長く、たとえば２５ｍｍ以上であることが好ましい。
続いて、本発明の第３実施形態に係る蛍光灯型ＬＥＤ照明灯を説明する。第３実施形態の蛍光灯型ＬＥＤ照明灯は、図１１に示すような円環形の蛍光灯型ＬＥＤ照明灯として構成されている。この円環形の蛍光灯型ＬＥＤ照明灯は、４本の端子２１，２１…を有する単一の口金２２を介して両端部が連続する円環形の透光カバー２３と、この透光カバー２３の周面一部に形成された切割り状開口部に装着される平面視円環状の放熱カバー部材２４とを備えたものであり、その縦断面構造は、図２、図４〜図１０に示した種々の縦断面構造とすることができる。
【図１】
2011021719.tif 000003
【図２】
2011021719.tif 000004
【図３】
2011021719.tif 000005
【図４】
2011021719.tif 000006
【図５】
2011021719.tif 000007
【図６】
2011021719.tif 000008
【図７】
2011021719.tif 000009
【図８】
2011021719.tif 000010
【図９】
2011021719.tif 000011
【図１０】
2011021719.tif 000012
【図１１】
2011021719.tif 000013
【図１２】
2011021719.tif 000014
【国際調査報告】
2011021719.tif 000015
2011021719.tif 000016
2011021719.tif 000017
2011021719.tif 000018